(57)【要約】【課題】冷暖房能力が低下することなく、オイルを吸入側へ効率的に回収することができるようにする。【解決手段】冷房または暖房運転開始時で、しかも起動制御中に圧縮機１が低い周波数で運転しているときは、オイルセパレータ用膨張弁４の開度が全開状態になり、圧縮機１の運転周波数が第１の設定値を上回るとオイルセパレータ用膨張弁４の開度が第１の設定値となり、圧縮機１の運転周波数が第２の設定値を上回るとオイルセパレータ用膨張弁４の開度は第２の設定値となる。【選択図】図２
2008180480.tif 000002
【特許請求の範囲】
【請求項１】
能力可変型圧縮機と送風機及び熱交換器、並びに減圧装置を配設した室外機と前記室外機に接続された複数台の室内機を有し、前記室外機の圧縮機吐出管に膨張弁を介して吸入管と接続されるオイルセパレータを具備した多室形空気調和機において、冷房または暖房運転開始時で、しかも起動制御中に圧縮機が低い周波数で運転しているときは、前記オイルセパレータ用膨張弁開度が全開状態になり、圧縮機運転周波数が第１の設定値を上回ると前記膨張弁開度が第１の設定値となり、圧縮機運転周波数が第２の設定値を上回ると前期膨張弁開度は第２の設定値となることを特徴とする多室形空気調和機の運転制御方法。
【請求項２】
冷房または暖房運転開始時で、しかも圧縮機起動制御中はオイルセパレータ用膨張弁は全開となり、その後圧縮機吐出温度を検出し、前記吐出温度が第１の設定値を上回ると例え圧縮機起動制御中であっても、前記膨張弁開度は第１の設定値となり、前記吐出温度が第２の設定値を上回ると前期膨張弁は第２の設定値となることを特徴とする請求項第１に記載の多室形空気調和機の運転制御方法。
【請求項３】
冷房または暖房運転開始時で、しかも圧縮機起動制御中はオイルセパレータ用膨張弁は全開となり、その後外気温を検出し、前記外気温が第１の設定値を上回ったら例え圧縮機起動制御中であっても、前記膨張弁開度は第１の設定値となり、前記外気温が第２の設定値を上回ると前記膨張弁は第２の設定値となることを特徴とする請求項第１又は２に記載の多室形空気調和機の運転制御方法。
【請求項４】
冷房または暖房運転開始時で、しかも圧縮機起動制御中はオイルセパレータ用膨張弁は全開となり、その後圧縮機吐出圧力を検出し、前記圧力が第１の設定値を上回ったら例え圧縮機起動制御中であっても、前記膨張弁開度は第１の設定値となり、前記圧力が第２の設定値を上回ったら前記膨張弁は第２の設定値となることを特徴とする請求項第１〜３のうちいずれか一項に記載の多室形空気調和機の運転制御方法。
【請求項５】
冷房または暖房運転開始時で、しかも圧縮機起動制御中はオイルセパレータ用膨張弁は全開となり、その後凝縮温度を検出し、前記温度が第１の設定値を上回ったら例え圧縮機起動制御中であっても、前記膨張弁開度は第１の設定値となり、さらに前記温度が第２の設定値を上回ったら前記膨張弁開度は第２の設定値となることを特徴とする請求項第１〜４のうちいずれか一項に記載の多室形空気調和機の運転制御方法。
【請求項６】
冷房または暖房運転開始時で、しかも圧縮機起動制御中はオイルセパレータ用膨張弁は全開となり、その後室温を検出し、前記室温が第１の設定値を上回ったら例え圧縮機起動制御中であっても、前記膨張弁開度は第１の設定値となり、さらに前記室温が第２の設定値を上回ったら前記膨張弁開度が第２の設定値となることを特徴とする請求項第１〜５のうちいずれか一項に記載の多室形空気調和機の運転制御方法。
【発明の詳細な説明】
【技術分野】
【０００１】
本発明は、多室形空気調和機の運転制御方法に関するものである。
【背景技術】
【０００２】
従来の多室形空気調和機の運転制御方法を図１４に基づいて説明する。図１４は多室形空気調和機の冷凍サイクル図で、冷房運転時、圧縮機１から吐出された冷媒は、オイルセパレータ３を経て四方弁２により室外熱交換器４に流れて凝縮され、膨張弁８で減圧されて室内熱交換器９で蒸発し、再度四方弁２を通ってアキュムレータ１ａを経て圧縮機１に戻る。オイルセパレータ３は圧縮機１の吐出管１ｂに配設され、吸入管１ｃとの間にキャピラリーチューブ３ａを介して接続されている。室外熱交換器４と室内熱交換器９にはそれぞれ室外送風機６と室内送風機１０が配設されている。
【０００３】
ここで圧縮機１が起動するとオイルは冷媒と共に吐出されるが、オイルセパレータ３内で冷媒とオイルに分離され、オイルはキャピラリーチューブ３ａを介して吸入管１ｃへ排出される。オイルはさらに吸入管１ｃからアキュームレータ１ａを通過し、最終的に圧縮機１内に回収され、これにより圧縮機１内の油面低下を防止することができる（例えば特許文献１参照）。
【特許文献１】特開２００２−３１３８７号公報
【発明の開示】
【発明が解決しようとする課題】
【０００４】
しかしながら、上記従来の構成では、オイルセパレータと吸入管はキャピラリーチューブを介して接続されているものの、オイルだけでなく冷媒も吐出から吸入の方へ流れるため能力の損失が大きいという問題点があった。
【０００５】
本発明は前記従来の課題を解決するもので、運転開始時の圧縮機起動時は膨張弁を全開とし、以降冷媒の状態に応じて膨張弁開度を調節することにより、冷暖房能力が低下することなく、オイルを吸入側へ効率的に回収することができるようにし、能力不足状態になることなく適正な運転が可能となる多室形空気調和機の運転制御方法を提供することを目的とする。
【課題を解決するための手段】
【０００６】
前記従来の課題を解決するために、本発明の多室形空気調和機の運転制御方法は、圧縮機吐出管に膨張弁を介して吸入管と接続されるオイルセパレータより構成され、冷房または暖房運転開始時でしかも起動制御中に、膨張弁開度が所定時間全開状態になり、所定時間以降は前記膨張弁が微開状態となる。これによって、圧縮機オイルレベルの低下を防ぐと同時に、適正な冷暖房運転をすることができる。
【０００７】
また本発明の多室形空気調和機の送風機制御方法は、圧縮機吐出管に膨張弁を介して吸入管と接続されるオイルセパレータ及び圧縮機吐出温度検出手段より構成され、冷房または暖房運転開始時でしかも起動制御中に、膨張弁開度が所定時間全開状態となるが、圧縮機吐出温度が設定値を上回ると、例え起動制御中であっても前記膨張弁は微開状態となる。これによって、圧縮機オイルレベルの低下を防ぐと同時に、適正な冷暖房運転をすることができる。
【０００８】
また本発明の多室形空気調和機の送風機制御方法は、圧縮機吐出管に膨張弁を介して吸入管と接続されるオイルセパレータ及び外気温を検出する温度検出手段より構成され、冷
房または暖房運転開始時でしかも起動制御中に、膨張弁開度が所定時間全開状態となるが、外気温が設定値を上回ると、例え起動制御中であっても前記膨張弁は微開状態となる。これによって、圧縮機オイルレベルの低下を防ぐと同時に、適正な冷暖房運転をすることができる。
【０００９】
また本発明の多湿形空気調和機の送風機制御方法は、圧縮機吐出管に膨張弁を介して吸入管と接続されるオイルセパレータ及び圧縮機吐出圧力を検出する圧力検出手段より構成され、冷房または暖房運転開始時でしかも起動制御中に、膨張弁開度が所定時間全開状態となるが、吐出圧力が設定値を上回ると、例え起動制御中であっても前記膨張弁は微開状態となる。これによって、圧縮機オイルレベルの低下を防ぐと同時に、適正な冷暖房運転をすることができる。
【００１０】
また本発明の多湿形空気調和機の送風機制御方法は、圧縮機吐出管に膨張弁を介して吸入管と接続されるオイルセパレータ及び凝縮温度を検出する温度検出手段より構成され、冷房または暖房運転開始時でしかも起動制御中に、膨張弁開度が所定時間全開状態となるが、凝縮温度が設定値を上回ると、例え起動制御中であっても前記膨張弁は微開状態となる。これによって、圧縮機オイルレベルの低下を防ぐと同時に、適正な冷暖房運転をすることができる。
【００１１】
また本発明の多湿形空気調和機の送風機制御方法は、圧縮機吐出管に膨張弁を介して吸入管と接続されるオイルセパレータ及び室内温度を検出する温度検出手段より構成され、冷房または暖房運転開始時でしかも起動制御中に、膨張弁開度が所定時間全開状態となるが、室温が設定値を上回ると、例え起動制御中であっても前記膨張弁は微開状態となる。これによって、圧縮機オイルレベルの低下を防ぐと同時に、適正な冷暖房運転をすることができる
【発明の効果】
【００１２】
本発明の多室形空気調和機の運転制御方法は、冷房または暖房運転開始時圧縮機のオイルレベルの低下を抑制し、冷暖房能力の低下を防ぐことができる。
【発明を実施するための最良の形態】
【００１３】
第１の発明は、１台の室外機と前記室外機に接続された複数台の室内機を有し、前記室外機の圧縮機吐出管に膨張弁を介して吸入管と接続されるオイルセパレータを具備した多室形空気調和機において、冷房または暖房運転開始時でしかも起動制御中に圧縮機が低い周波数で運転しているときは、前記オイルセパレータ用膨張弁開度が所定時間全開状態になり、所定時間後は膨張弁開度が微開状態となることから、オイルレベルの低下を防ぐと同時に、冷暖房能力を適正化することが可能となる。
【００１４】
第２の発明は、特に第１の発明の運転制御方法を、冷暖房運転開始時において、圧縮機吐出温度を検出し、前記吐出温度が設定値を上回ると例え起動制御中であっても、オイルセパレータ用膨張弁が微開状態となることから、オイルレベルの低下を防ぐと同時に、冷暖房能力を適正化することが可能となる。
【００１５】
第３の発明は、特に第１の発明または第２の発明の運転制御方法を、冷暖房運転開始時において、外気温を検出し、前記外気温が設定値を上回ると例え起動制御中であっても、オイルセパレータ用膨張弁が微開状態となることから、オイルレベルの低下を防ぐと同時に、冷暖房能力を適正化することが可能となる。
【００１６】
第４の発明は、特に第１〜第３のいずれか１つの発明の運転制御方法を、冷暖房運転開始時において、圧縮機吐出圧力を検出し、前記吐出圧力が設定値を上回ると例え起動制御
中であっても、オイルセパレータ用膨張弁が微開状態となることから、オイルレベルの低下を防ぐと同時に、冷暖房能力を適正化することが可能となる。
【００１７】
第５の発明は、特に第１〜第４のいずれか１つの発明の運転制御方法を、冷暖房運転開始時において、凝縮温度を検出し、前記凝縮温度が設定値を上回ると例え起動制御中であっても、オイルセパレータ用膨張弁が微開状態となることから、オイルレベルの低下を防ぐと同時に、冷暖房能力を適正化することが可能となる。
【００１８】
第６の発明は、特に第１〜第５のいずれか１つの発明の運転制御方法を、冷暖房運転開始時において、室温を検出し、前記室温が設定値を上回ると例え起動制御中であっても、オイルセパレータ用膨張弁が微開状態となることから、オイルレベルの低下を防ぐと同時に、冷暖房能力を適正化することが可能となる。
【００１９】
（実施の形態１）
第１図は、本発明の第１の実施の形態における多室形空調機の運転制御方法を示す冷凍サイクル図である。同図において、オイルセパレータ３は圧縮機１の吐出管１ａとアキュームレータ１ｃの間に、オイルセパレータ用膨張弁４及びキャピラリーチューブ３ａを介して接続されている。吐出管１ｂには、吐出温度センサー１３と吐出圧力センサー１４が配設され、室外熱交換器４の風上側には室外温度センサー７、室外熱交換器４の膨張弁８側の配管には室外配管温度センサー１１が、室外熱交換器９の風上側には室内温度センサー１２が配設されている。
【００２０】
第２図のフローチャート及び第３図のタイムチャートにより、オイルセパレータ用膨張弁４の制御動作を説明する。冷房または暖房運転開始時でしかも起動制御中、圧縮機１は所定の起動周波数Ｈｚ１で運転している。このときオイルセパレータ用膨張弁４の開度は全開状態となっている。これは冷媒に溶け込んでいるオイルの量が多いと判断し、冷媒と共にオイルを低圧側へ回収し油面の低下を防ぐためである。
【００２１】
次に起動制御が終了し圧縮機１の運転周波数が上昇してＨｚ２に達すると、オイルセパレータ用膨張弁４の開度を所定の開度Ｐｓ１まで減少させる。これは冷媒の温度が上昇するとオイルは冷媒と分離し易くなるため、オイルセパレータ用膨張弁４の開度を減少させてもオイルは圧縮機１の低圧側へ効率よく回収することが出来るためである。
【００２２】
圧縮機１の運転周波数がさらに上昇してＨｚ３に達すると、オイルセパレータ用膨張弁の開度はＰｓ２まで減少させる。これはオイルは十分回収出来たと判断するもので、これにより冷媒がオイルセパレータ３から吸入管１ｂに流れてしまうことを防止して、冷房または暖房能力を効率よく発揮することができる。
【００２３】
（実施の形態２）
第４図のフローチャート及び第５図のタイムチャートにより、オイルセパレータ用膨張弁４の制御動作を説明する。冷房または暖房運転開始時でしかも起動制御中、圧縮機１は起動周波数Ｈｚ１で運転している。このときオイルセパレータ用膨張弁４の開度は全開状態となっている。
【００２４】
次に例え圧縮機１が起動制御中であっても、吐出温度センサー１３で検知した圧縮機１の吐出温度が第１の設定値Ｔｄ１を上回ると、オイルセパレータ用膨張弁４の開度をＰｓ１まで減少させ、さらに吐出温度が第２の設定値Ｔｄ２を上回るとオイルセパレータ用膨張弁４の開度をＰｓ２まで減少させる。これは圧縮機１の吐出温度と冷媒温度がほぼ等しいことを利用し、吐出温度すなわち冷媒の温度が上昇するとオイルは冷媒と分離し易くなるという特性を生かして、オイルの効率的な回収と冷房または暖房能力向上の両立を可能
とするものである。
【００２５】
（実施の形態３）
第６図のフローチャート及び第７図のタイムチャートにより、オイルセパレータ用膨張弁４の制御動作を説明する。冷房または暖房運転開始時でしかも起動制御中、圧縮機１は起動周波数Ｈｚ１で運転している。このときオイルセパレータ用膨張弁４の開度は全開状態となっている。
【００２６】
次に例え圧縮機１が起動制御中であっても、室外温度センサー７で検知した外気温度が第１の設定値Ｔａｏ１を上回ると、オイルセパレータ用膨張弁４の開度をＰｓ１まで減少させ、さらに外気温度が第２の設定値Ｔａｏ２を上回るとオイルセパレータ用膨張弁４の開度をＰｓ２まで減少させる。これは外気温度が一定値以上になると、例え圧縮機１が起動制御中であっても吸熱量が多くなり、ひいては冷媒の温度が高いと判断しオイルは冷媒と充分分離していると判断して、オイルの効率的な回収と冷房または暖房能力向上の両立を可能とするものである。
【００２７】
（実施の形態４）
第８図のフローチャート及び第９図のタイムチャートにより、オイルセパレータ用膨張弁４の制御動作を説明する。冷房または暖房運転開始時でしかも起動制御中、圧縮機１は起動周波数Ｈｚ１で運転している。このときオイルセパレータ用膨張弁４の開度は全開状態となっている。
【００２８】
次に例え圧縮機１が起動制御中であっても、吐出圧力センサー１４で検知した高圧が第１の設定値Ｐｄ１を上回ると、オイルセパレータ用膨張弁４の開度をＰｓ１まで減少させ、さらに高圧が第２の設定値Ｐｄ２を上回るとオイルセパレータ用膨張弁４の開度をＰｓ２まで減少させる。これは高圧が一定値以上になると、例え圧縮機１が起動制御中であっても、冷媒の温度が高いと判断しオイルは冷媒と充分分離していると判断して、オイルの効率的な回収と冷房または暖房能力向上の両立を可能とするものである。
【００２９】
（実施の形態５）
第１０図のフローチャート及び第１１図のタイムチャートにより、オイルセパレータ用膨張弁４の制御動作を説明する。冷房または暖房運転開始時でしかも起動制御中、圧縮機１は起動周波数Ｈｚ１で運転している。このときオイルセパレータ用膨張弁４の開度は全開状態となっている。
【００３０】
次に例え圧縮機１が起動制御中であっても、室外配管温度センサー１１で検知した凝縮温度が第１の設定値Ｔｈｐ１を上回ると、オイルセパレータ用膨張弁４の開度をＰｓ１まで減少させ、さらに凝縮温度が第２の設定値Ｔｈｐ２を上回るとオイルセパレータ用膨張弁４の開度をＰｓ２まで減少させる。これは凝縮温度が一定値以上になると、例え圧縮機１が起動制御中であっても、すなわち冷媒の温度が高いと判断しオイルは冷媒と充分分離していると判断して、オイルの効率的な回収と冷房または暖房能力向上の両立を可能とするものである。
【００３１】
（実施の形態６）
第１２図のフローチャート及び第１３図のタイムチャートにより、オイルセパレータ用膨張弁制御の動作を説明する。冷房または暖房運転開始時でしかも起動制御中、圧縮機１は起動周波数Ｈｚ１で運転している。このときオイルセパレータ用膨張弁４の開度は全開状態となっている。
【００３２】
次に例え圧縮機１が起動制御中であっても、室内温度センサー１２で検知した室内温度
が第１の設定値Ｔａｉ１を上回ると、オイルセパレータ用膨張弁４の開度をＰｓ１まで減少させ、さらに室内温度が第２の設定値Ｔａｉ２を上回るとオイルセパレータ用膨張弁４の開度をＰｓ２まで減少させる。これは室内温度が一定値以上になると、例え圧縮機１が起動制御中であっても、冷媒の温度が高いと判断しオイルは冷媒と充分分離していると判断して、オイルの効率的な回収と冷房または暖房能力向上の両立を可能とするものである。
【産業上の利用可能性】
【００３３】
以上のように、本発明にかかる多室形空気調和機の運転制御方法は、冷房または暖房能力を低下させることなく圧縮機オイルを効率的に回収することができるので、業務用、店舗用多室形空気調和機のオイル回収制御等の用途にも適用できる。
【図面の簡単な説明】
【００３４】
【図１】本発明の第１の実施形態を示す多室形空気調和機の冷凍サイクル図
【図２】本発明の第１の実施形態を示す多室形空気調和機の運転制御方法のフローチャート
【図３】本発明の第１の実施形態を示す多室形空気調和機の運転制御方法のタイムチャート
【図４】本発明の第２の実施形態を示す多室形空気調和機の運転制御方法のフローチャート
【図５】本発明の第２の実施形態を示す多室形空気調和機の運転制御方法のタイムチャート
【図６】本発明の第３の実施形態を示す多室形空気調和機の運転制御方法のフローチャート
【図７】本発明の第３の実施形態を示す多室形空気調和機の運転制御方法のタイムチャート
【図８】本発明の第４の実施形態を示す多室形空気調和機の運転制御方法のフローチャート
【図９】本発明の第４の実施形態を示す多室形空気調和機の運転制御方法のタイムチャート
【図１０】本発明の第５の実施形態を示す多室形空気調和機の運転制御方法のフローチャート
【図１１】本発明の第５の実施形態を示す多室形空気調和機の運転制御方法のタイムチャート
【図１２】本発明の第６の実施形態を示す多室形空気調和機の運転制御方法のフローチャート
【図１３】本発明の第６の実施形態を示す多室形空気調和機の運転制御方法のタイムチャート
【図１４】従来の多室形空気調和機の冷凍サイクル図
【符号の説明】
【００３５】
１  圧縮機
２  ４方弁
３  オイルセパレータ
４  オイルセパレータ用膨張弁
５  室外熱交換器
６  室外送風機
７  室外温度センサー
８  膨張弁
９  室内熱交換器
１０  室内送風機
１１  室外配管温度センサー
１２  室内温度センサー
１３  吐出温度センサー
１４  吐出圧力センサー
【図１】
2008180480.tif 000003
【図２】
2008180480.tif 000004
【図３】
2008180480.tif 000005
【図４】
2008180480.tif 000006
【図５】
2008180480.tif 000007
【図６】
2008180480.tif 000008
【図７】
2008180480.tif 000009
【図８】
2008180480.tif 000010
【図９】
2008180480.tif 000011
【図１０】
2008180480.tif 000012
【図１１】
2008180480.tif 000013
【図１２】
2008180480.tif 000014
【図１３】
2008180480.tif 000015
【図１４】
2008180480.tif 000016